(57)【要約】【課題】家電製品などリモコンによって制御される電気機器を外出先などから携帯電話１０を用いて遠隔操作できるシステムにおいて、予定が変更になった場合でも、予約された電気機器の電力を無駄に消費させない遠隔操作システム１を提供する【解決手段】遠隔操作システム１は、携帯電話１０に入力された指令情報を取得し、取得した指令情報に基づき、電気機器を作動し、電気機器を作動してからの経過時間を計時し、計時した経過時間が所定時間を越えたと判定し、且つリモコン３０によって電気機器が所定時間内に再び作動されなかったと判定した場合に、当該電気機器を停止する。【選択図】図１
2010028377.tif 000002
【特許請求の範囲】
【請求項１】
携帯端末から使用者により入力された指令情報に基づき、リモートコントロール装置によって遠隔操作される制御対象機器を遠隔操作する遠隔操作システムであって、
前記携帯端末に入力された前記指令情報を取得する取得手段と、
取得した前記指令情報に基づき、前記制御対象機器を作動する作動手段と、
前記作動手段により前記制御対象機器を作動してからの経過時間を計時する計時手段と、
前記計時手段により計時した前記経過時間が所定時間を越えたと判定し、且つ前記リモートコントロール装置によって前記制御対象機器が前記所定時間内に再び作動されなかったと判定した場合に、当該制御対象機器を停止する停止手段と、
を備えた遠隔操作システム。
【請求項２】
前記携帯端末は、使用者が決めた設定時間を入力可能とし、
前記取得手段は、前記携帯端末に使用者により入力された前記設定時間に関する設定時間情報を取得し、
前記停止手段は、取得した前記設定時間情報に基づき、前記所定時間を前記設定時間とすることを特徴とする請求項１に記載の遠隔操作システム。
【請求項３】
前記計時手段は、前記作動手段により前記制御対象機器を作動してからの前記経過時間の計時を開始した後、再び前記携帯端末から前記設定時間情報を取得した場合に、当該設定時間情報に基づき、当該設定時間情報を取得した時点からの経過時間の計時を開始することを特徴とする請求項２に記載の遠隔操作システム。
【請求項４】
前記作動手段により前記制御対象機器を作動した際、若しくは前記停止手段により前記制御対象機器を停止した際、に前記携帯端末へその旨を通知する通知手段を備えたことを特徴とする請求項１乃至３の何れか１項に記載の遠隔操作システム。
【発明の詳細な説明】
【技術分野】
【０００１】
本発明は、家電製品などリモコンによって制御される電気機器において、携帯端末を用いてリモコン制御する遠隔操作システムに関する。
【背景技術】
【０００２】
エアコン、扇風機などの空調機器、テレビ、ビデオデッキ、オーディオなどの映像・音響機器、蛍光灯などの照明機器、に代表される電気機器の多くは、離れた場所から操作することができるリモートコントロール装置（以下、単に「リモコン」と呼称する。）によって遠隔操作可能となっている。
【０００３】
また、従来、家庭内に設置されたエアコン、ビデオなどの電気機器を外出先などから携帯電話を用いて遠隔操作できるシステムが公知のものとなっている。例えば、特許文献１には、携帯電話のリモコン機能を用いて、使用者が外出先から予め予約した時間に電気機器を動作させる予約制御方法が開示されている。この予約制御方法によれば、例えば、帰宅時間に合わせてエアコンを動作させることで、帰宅時には室内を快適な温度にした状態にすることができる。
【０００４】
【特許文献１】特開２００５−１３０１７９号公報
【発明の開示】
【発明が解決しようとする課題】
【０００５】
しかしながら、特許文献１に開示された発明は、使用者の予定が急に変更になってしまい、外出先からの帰宅が予定より遅くなった場合でも、予約された電気機器は時間通りに動作することになる。そのため、電力を無駄に消費してしまう問題があった。
【０００６】
そこで、本発明の目的は、家電製品などリモコンによって制御される電気機器を外出先などから携帯電話を用いて遠隔操作できるシステムにおいて、予定が変更になった場合でも、予約された電気機器の電力を無駄に消費させない遠隔操作システムを提供することである。
【課題を解決するための手段及び効果】
【０００７】
本発明に係る遠隔操作システムは、上記目的を達成するために以下のようないくつかの特徴を有している。すなわち、本発明の遠隔操作システムは、以下の特徴を単独で、もしくは適宜組み合わせて備えている。
【０００８】
上記目的を達成するために、本発明に係る遠隔操作システムは、携帯端末から使用者により入力された指令情報に基づき、リモートコントロール装置によって遠隔操作される制御対象機器を遠隔操作する遠隔操作システムであって、携帯端末に入力された指令情報を取得する取得手段と、取得した指令情報に基づき、制御対象機器を作動する作動手段と、作動手段により制御対象機器を作動してからの経過時間を計時する計時手段と、計時手段により計時した経過時間が所定時間を越えたと判定し、且つリモートコントロール装置によって制御対象機器が所定時間内に再び作動されなかったと判定した場合に、当該制御対象機器を停止する停止手段と、を備えている。
【０００９】
上記の構成によれば、本来リモートコントロール装置によって遠隔操作される制御対象機器が、携帯端末から使用者により入力された指令情報に基づき、遠隔操作される。これにより、制御対象機器と離れた場所にいる使用者に携帯端末を用いて指令情報を入力させるだけで、容易に制御対象機器を遠隔操作させることが出来る。また、制御対象機器が一旦作動されてからの経過時間が所定時間を越えた場合であり、且つその所定時間内にリモートコントロール装置を用いて再び制御対象機器が作動されなかった場合に、制御対象機器が停止される。これにより、例えば、外出先の使用者から一旦遠隔操作により作動された制御対象機器において、使用者が外出先からの帰宅が予定より遅くなってしまった場合でも、所定時間の終了後に制御対象機器が停止されるため、電力を無駄に消費することがなく、電力の節約になる。
【００１０】
また、本発明に係る遠隔操作システムにおいて、携帯端末は、使用者が決めた設定時間を入力可能とし、取得手段は、携帯端末に使用者により入力された設定時間に関する設定時間情報を取得し、停止手段は、取得した設定時間情報に基づき、所定時間を設定時間としていてもよい。
【００１１】
上記の構成によれば、使用者が決めた設定時間を携帯端末により入力させることができる。また、制御対象機器が一旦作動されてから計時された経過時間が設定時間を越えた場合であり、且つその設定時間内にリモートコントロール装置を用いて再び制御対象機器が作動されなかった場合に、制御対象機器が停止される。これにより、例えば、外出先から帰宅するまでの時間を考慮した所望の設定時間を使用者に決めさせることができ、より厳密に制御対象機器の動作時間を設定させることができる。
【００１２】
また、本発明に係る遠隔操作システムにおいて、計時手段は、作動手段により制御対象機器を作動してからの経過時間の計時を開始した後、再び携帯端末から設定時間情報を取得した場合に、当該設定時間情報に基づき、当該設定時間情報を取得した時点からの経過時間の計時を開始していてもよい。
【００１３】
上記の構成によれば、使用者により一旦設定時間が携帯端末を用いて入力された場合でも、その後再び設定時間が入力されることにより、その時点から制御対象機器の設定時間の計時が開始される。これにより、例えば使用者が誤って短く設定時間を入力した場合でも、引き続き設定時間を延長させることができ、さらに利便性が良くなる。
【００１４】
また、本発明に係る遠隔操作システムにおいて、作動手段により制御対象機器を作動した際、若しくは停止手段により制御対象機器を停止した際、に携帯端末へその旨を通知する通知手段を備えていてもよい。
【００１５】
上記の構成によれば、制御対象機器が作動された際、若しくは停止された際、にその旨が使用者に通知される。これにより、制御対象機器が使用者から離れた場所に位置する場合でも、制御対象機器の作動および停止状態を使用者に確認させることができ、使用者に安心感を与えられる場合がある。
【発明を実施するための最良の形態】
【００１６】
本発明における実施の形態を図１乃至図１１に基づいて以下に説明する。
【００１７】
（発明の概要）
図１は、本実施の形態の遠隔操作システム１の動作概要を示した図である。図１に示すように、室内２００の壁面には、エアコン３が設置されている。また、同室内２００には、棚５０が設けられており、棚５０の上面にリモコン３０とサーバ１００とが設置されている。リモコン３０は、エアコン３を光信号により遠隔操作できるようになっている。サーバ１００は、リモコン３０と同じ光信号を発することにより、エアコン３を遠隔操作できるようになっている。さらに、サーバ１００は、ネットワーク２を介して、室内２００の外部にある携帯電話１０と通信可能に接続されている。
【００１８】
また、本実施の形態において、携帯電話１０は、ネットワーク２を介してサーバ１００と通信することにより、エアコン３を遠隔操作することが可能である。さらに、使用者は、携帯電話１０を用いることにより、所望の時刻にエアコン３を作動させるように予約設定することができ、エアコン３が作動してからの経過時間が設定時間を越えた場合に、サーバ１００がエアコン３を停止するように制御されている。但し、設定時間内にエアコン３がリモコン３０により作動された場合は、サーバ１００によるエアコン３の停止は行われないように制御されている。ここで、『設定時間』とは、携帯電話１０の使用者により決められ、遠隔操作された電気機器において、作動される作動時間のことである。
【００１９】
例えば、図１において、ネットワーク２を介して携帯電話１０からの信号を受信したサーバ１００は、エアコン３の電源をＯＮからＯＦＦに切り替えるように操作している（左図参照）。その後、使用者により決められた設定時間内に、エアコン３がリモコン３０により作動された場合は、エアコン３の電源は引き続きＯＮ状態を維持するようにされる（右上図参照）。一方、設定時間を経過してもエアコン３がリモコン３０により作動されなかった場合は、サーバ１００により、エアコン３の電源はＯＮからＯＦＦに切り替えられるように操作される（右下図参照）。ここで、本実施の形態の場合、リモコン３０を用いてエアコン３を操作する場合、一旦、使用者がサーバ１００に向けてリモコン３０から光信号を送信し、リモコン３０からの光信号を受信したサーバ１００が、エアコン３の電源を停止するようになっている。
【００２０】
（遠隔操作システム１の構成図）
図２は、遠隔操作システム１の構成図である。図２に示すように、本実施の形態の遠隔操作システム１は、複数の電気機器（エアコン３、電灯４、ビデオ５、・・・）と通信可能に接続されたサーバ１００と、ネットワーク２を介してサーバ１００と通信可能に接続された複数の携帯電話１０と、を有している。
【００２１】
（携帯電話１０の構成図）
図３は、携帯電話１０の構成図である。図３に示すように、携帯電話１０は、電波送受信部１２と、制御部１３と、記憶部１４と、音声処理部１５と、を有している。また、電波送受信部１２には、外部と通信可能にするためのアンテナ１１が接続されている。特に、本実施の形態の場合、アンテナ１１は、ネットワーク２を介して、サーバ１００と通信可能になっており、サーバ１００から、後述するキーコード情報信号、作動確認信号、および停止確認信号、などの各種信号を受信する役割を有している。さらに、アンテナ１１は、サーバ１００に対して、後述する設定キー情報信号、入力情報信号、および設定時間延長信号などの各種信号を送信する役割を有している。
【００２２】
電波送受信部１２は、アンテナ１１から受信される各種信号を後述する制御部１３が処理可能な信号に変換する。また、一方では、電波送受信部１２は、制御部１３からの信号をアンテナ１１が外部に送信可能な信号に変換する。
【００２３】
制御部１３は、電波送受信部１２からの信号を処理したり、後述する入力部１６から入力された信号を処理して、電波送受信部１２を介してアンテナ１１から外部に送信させたりする役割を有している。特に、本実施の形態の場合、制御部１３は、後述する入力部１６から、使用者により設定キー情報が入力された際、電波送受信部１２０を介して設定キー情報を含んだ設定キー情報信号をアンテナ１１からサーバ１００に送信させる。
【００２４】
また、制御部１３は、入力部１６から、使用者により後述する指令情報および設定時間情報が入力された際、電波送受信部１２０を介して指令情報および設定時間情報を含んだ入力情報信号をアンテナ１１からサーバ１００に送信させる。
【００２５】
さらに、制御部１３は、入力部１６から、使用者により後述する設定時間延長情報が入力された際、電波送受信部１２０を介して設定時間延長情報を含んだ設定時間延長信号をアンテナ１１からサーバ１００に送信させる。
【００２６】
また、制御部１３は、サーバ１００から、キーコード情報信号、作動確認信号、および停止確認信号、などの各種信号を受信した際、これらの信号に基づき、後述する表示部１７に適宜画像を表示させる。
【００２７】
記憶部１４は、制御部１３が信号を処理する際に使用する各種プログラムや情報を記憶する。音声処理部１５は、携帯電話１０における図示しないスピーカやマイクロフォンに入出力される音声信号を処理する。
【００２８】
また、携帯電話１０は、入力部１６と表示部１７とを有している。入力部１６は、使用者の押圧操作によって、使用者が様々な情報を入力できる所謂キーボタンである。特に、本実施の形態の場合、入力部１６は、携帯電話１０をリモコンモードに切り替え、遠隔操作対象の電気機器を特定する設定キー情報を使用者が入力できるようになっている。さらに、入力部１６は、電気機器（エアコン３、電灯４、ビデオ５、・・・）を遠隔操作する際に、使用者が電気機器に対する『作動内容』および『予約時間』などの情報を含む指令情報と、『設定時間』の情報を含む設定時間情報と、を入力可能としている。例えば、エアコン３の場合は、電源の切り替え・温度の切り替えなどの『作動内容』と、エアコン３が作動される時刻である『予約時間』と、エアコン３の作動時間である『設定時間』と、が使用者により入力部１６から入力される。なお、設定キー情報は、設定キー情報信号として、指令情報および設定時間情報は、入力情報信号として、サーバ１００に送信されるようになっている。
【００２９】
また、表示部１７は、使用者が様々な情報を視認できるように、映像および画像を表示する役割を有する。特に本実施の形態の場合、表示部１７は、アンテナ１１によって携帯電話１０から受信されるキーコード情報信号、作動確認信号、および停止確認信号、などの各種信号に基づく情報の画像を表示する。
【００３０】
（サーバ１００の構成図）
図４は、サーバ１００の構成図である。図４に示すように、サーバ１００は、電波送受信部１２０と、制御部１３０と、記憶部１４０と、光信号生成部１５０と、光信号送受信部１６０と、計時部１７０と、作動判定部１８０と、を有している。また、電波送受信部１２０には、外部と通信可能にするためのアンテナ１１０が接続されている。特に、本実施の形態の場合、アンテナ１１０は、ネットワーク２を介して、複数の携帯電話１０と通信可能になっており、携帯電話１０から、後述する設定キー情報信号、入力情報信号、および設定時間延長信号の各種信号を受信する役割を有する。さらに、アンテナ１１０は、携帯電話１０に対して、後述するキーコード情報信号、作動確認信号、および停止確認信号、などの各種信号を送信する役割を有する。
【００３１】
電波送受信部１２０は、アンテナ１１０から受信される各種信号を後述する制御部１３０が処理する信号に変換する。制御部１３０は、電波送受信部１２０を介してアンテナ１１０から受信した信号を処理する。
【００３２】
制御部１３０は、携帯電話１０から設定キー情報信号を受信した際、設定キー情報信号に含まれる設定キー情報に基づき、対象となる電気機器のキーコード情報を後述する記憶部１４０から抽出し、光信号生成部１５０にキーコード情報信号を作成させ、生成したキーコード情報信号を光信号送受信部１６０から携帯電話１０に対して送信する。なお、このキーコード情報には、後述する図６のキーコードテーブルに関する情報が含まれている。
【００３３】
また、制御部１３０は、受信した入力情報信号に含まれる指令情報および設定時間情報に基づき、対象の電気機器（エアコン３、電灯４、ビデオ５、・・・）を作動するための作動光信号を光信号生成部１５０に生成させ、生成した作動光信号を光信号送受信部１６０から対象の電気機器に対して送信する作動処理を実行する。
【００３４】
また、制御部１３０は、光信号を対象の電気機器に対して送信した後、電気機器が作動されてからの経過時間を計時部１７０に計時させる計時処理を実行する。
【００３５】
さらに、制御部１３０は、後述する作動判定部１８０が、作動させた電気機器が作動されてからの経過時間が設定時間情報に含まれる設定時間を越えたと判定した際、光信号生成部１５０に対象の電気機器を停止させる停止光信号を生成させ、生成した停止光信号を光信号送受信部１６０から対象の電気機器に対して送信する停止処理を実行する。なお、この時、制御部１３０は、作動させた電気機器に対応するリモコン３０からの光信号を設定時間内に光信号送受信部１６０から受信した場合は、上述した停止処理を実行しないようになっている。
【００３６】
また、制御部１３０は、前述した作動処理を実行した後、携帯電話１０から設定時間延長信号を受信した際、計時処理において、計時部１７０が計時していた経過時間を一旦リセットし、設定時間延長信号に含まれる設定時間延長情報に基づき、再度計時をさせる延長処理を実行する。
【００３７】
さらに、制御部１３０は、前述した作動処理を実行した際、その旨を携帯電話１０の使用者に通知するための作動確認信号を光信号生成部１５０に生成させ、生成した作動確認信号を光信号送受信部１６０から携帯電話１０に対して送信する。一方、制御部１３０は、前述した停止処理を実行した際、その旨を携帯電話１０の使用者に通知するための停止確認信号を光信号生成部１５０に生成させ、生成した停止確認信号を光信号送受信部１６０から携帯電話１０に対して送信する。なお、これらの処理を通知処理と呼称する。
【００３８】
記憶部１４０は、制御部１３０が信号を処理する際に使用する各種プログラムや情報を記憶する。特に本実施の形態の場合、後述する図５の設定コードテーブルおよび図６のキーコードテーブルなどの各種テーブルを記憶している。光信号生成部１５０は、制御部１３０の制御に基づき、各種信号を生成する。光信号送受信部１６０は、光信号生成部１５０により生成された各種信号を送信する一方、例えばリモコン３０からの光信号などの各種信号を受信する。計時部１７０は、制御部１３０の制御に基づき、電気機器が作動されてからの経過時間の計時、およびそのリセットをする。作動判定部１８０は、制御部１３０の制御に基づき、図５の設定コードテーブルを参照し、計時部により計時された経過時間が設定時間を越えたか否かの判定をする。
【００３９】
以上のように、サーバ１００は、携帯電話１０に入力された指令情報を取得する取得手段の役割を有するアンテナ１１０と、取得した指令情報に基づき、電気機器を作動する作動手段の役割を有する制御部１３０、光信号生成部１５０、および光信号送受信部１６０と、電気機器を作動してからの経過時間を計時する計時手段の役割を有する計時部１７０と、計時部１７０により計時した経過時間が所定時間を越えたと判定し、且つリモコン３０によって電気機器が所定時間内に再び操作されなかったと判定した場合に、当該電気機器を停止する停止手段の役割を有する制御部１３０、光信号生成部１５０、および光信号送受信部１６０と、を備えている。
【００４０】
上記の構成によれば、本来リモコン３０によって遠隔操作される電気機器が、携帯電話１０から使用者により入力された指令情報に基づき、遠隔操作される。これにより、電気機器と離れた場所にいる使用者に携帯電話１０を用いて指令情報を入力させるだけで、容易に電気機器を遠隔操作させることが出来る。また、電気機器が一旦作動されてからの経過時間が所定時間を越えた場合であり、且つその所定時間内にリモコン３０を用いて再び電気機器が操作されなかった場合に、電気機器が停止される。これにより、例えば、外出先の使用者から一旦遠隔操作により作動された電気機器において、使用者が外出先からの帰宅が予定より遅くなってしまった場合でも、所定時間の終了後に電気機器が停止されるため、電力を無駄に消費することがなく、電力の節約になる。
【００４１】
また、以上のように、携帯電話１０は、使用者が決めた設定時間を入力可能とし、サーバ１００において、アンテナ１１０は、携帯電話１０に使用者により入力された設定時間に関する設定時間情報を取得し、制御部１３０、光信号生成部１５０、および光信号送受信部１６０は、取得した設定時間情報に基づき、所定時間を設定時間としている。
【００４２】
上記の構成によれば、使用者が決めた設定時間を携帯電話１０により入力させることができる。また、電気機器が一旦操作されてから計時された経過時間が設定時間を越えた場合であり、且つその設定時間内にリモコン３０を用いて再び電気機器が操作されなかった場合に、電気機器が停止される。これにより、例えば、外出先から帰宅するまでの時間を考慮した所望の設定時間を使用者に決めさせることができ、より厳密に電気機器の動作時間を設定させることができる。
【００４３】
また、以上のように、サーバ１００において、計時部１７０は、制御部１３０により電気機器を作動してからの経過時間の計時を開始した後、再び携帯電話１０から設定時間情報を取得した場合に、当該設定時間情報に基づき、当該設定時間情報を取得した時点からの経過時間の計時を開始している。
【００４４】
上記の構成によれば、使用者により一旦設定時間が携帯電話１０を用いて入力された場合でも、その後再び設定時間が入力されることにより、その時点から電気機器の設定時間の計時が開始される。これにより、例えば使用者が誤って短く設定時間を入力した場合でも、引き続き設定時間を延長させることができ、さらに利便性が良くなる。
【００４５】
また、以上のように、サーバ１００は、制御部１３０、光信号生成部１５０、および光信号送受信部１６０により電気機器を作動した際、若しくは制御部１３０、光信号生成部１５０、および光信号送受信部１６０により電気機器を停止した際、に携帯電話１０へその旨を通知する通知手段の役割を有する制御部１３０および電波送受信部１２０を備えたことを備えている。
【００４６】
上記の構成によれば、電気機器が作動された際、若しくは停止された際、にその旨が使用者に通知される。これにより、電気機器が使用者から離れた場所に位置する場合でも、電気機器の作動および停止状態を使用者に確認させることができ、使用者に安心感を与えられる場合がある。
【００４７】
（設定コードテーブル）
次に、図５はサーバ１００が有する設定コードテーブルを示した図である。図５に示すように、設定コードテーブルには、１から順に並べられた”設定キー”に関連付けられた各種電気機器の情報が格納されている。具体的には、設定コードテーブルは、電気機器の”機種名”欄、”メーカーコード”欄、および”型番”欄、を有している。これらの情報は、予め使用者によって入力されるものである。
【００４８】
また、設定コードテーブルには、各種電気機器の作動に関する情報が格納されている。具体的には、設定コードテーブルは、電気機器の”作動状態”欄、”設定時間”欄、”経過時間”欄、および”残り時間”欄、を有している。例えば、図５の場合であると、設定キー『１』に関連付けられた『エアコン３』は、作動状態が『ＯＮ』の状態である。また、使用者により設定時間が『１０分』と設定されており、経過時間は『７分』経過しているため、残り時間は『３分』である。つまり、残り３分の間にリモコン３０からの操作が無かった場合は、エアコン３は停止されることが示されている。
【００４９】
（キーコードテーブル）
次に、図６はサーバ１００が有するキーコードテーブルを示した図である。なお、図６は、エアコン３に関するキーコードのみが示されているが、他の各電気機器に関するキーコードテーブルもサーバ１００は有している（図示せず）。図６に示すように、キーコードテーブルには、設定キー１に関連付けられたエアコン３の各種動作に対して、キーコードが関連付けられて格納されている。具体的には、エアコン３の各種動作は、”電源”、”冷房”、”暖房”、および”除湿”の切り替えに関する欄と、”温度上昇”および”温度下降”に関する欄と、を有している。なお、この各種動作は、前述した指令情報に含まれる『作動内容』のことである。また、キーコードテーブルは、その各々の動作に関連付けられた”キーコード”に関する欄を有している。ここで、キーコードとは、本実施の形態の場合は４桁の数字の羅列である。携帯電話１０にこのキーコードを入力することにより、電気機器は入力されたキーコードに対応する動作を行うようになっている。例えば、図６の場合であると、設定キー『１』に関連付けられた『エアコン３』の電源のＯＮ／ＯＦＦを切り替える場合、使用者はキーコードを『１００１』と入力する必要がある。なお、キーコードに関連付けられた各種動作は、これらに限定されることは無く、適宜設定可能である。
【００５０】
（携帯電話１０の動作：リモコン操作処理ルーチン）
次に、図７は携帯電話１０のリモコン操作処理ルーチンを表したフローチャートである。リモコン操作処理ルーチンが実行されると、制御部１３は、使用者によるリモコンモードの切り替え操作があったか否かを判定する（Ｋ１）。リモコンモードの切り替え操作がないと判定した場合は（Ｋ１,ＮＯ）、使用者によるリモコンモードの切り替え操作があるまで待機する。一方、リモコンモードの切り替え操作があったと判定した場合は（Ｋ１,ＹＥＳ）、リモコンモードへ切り替える（Ｋ２）。
【００５１】
次に、制御部１３は、使用者による設定キーの入力があったか否かを判定する（Ｋ３）。設定キーの入力がないと判定した場合は（Ｋ３,ＮＯ）、使用者による設定キーの入力があるまで待機する。一方、使用者による設定キーの入力があったと判定した場合は（Ｋ３,ＹＥＳ）、設定キー情報信号をサーバへ送信する（Ｋ４）。
【００５２】
次に、制御部１３は、サーバ１００からキーコード情報信号を受信したか否かを判定する（Ｋ５）。キーコード情報信号を受信していないと判定した場合は（Ｋ５,ＮＯ）、サーバ１００からキーコード情報信号を受信するまで待機する。一方、サーバ１００からキーコード情報信号を受信したと判定した場合は（Ｋ５,ＹＥＳ）、受信したキーコード情報信号に含まれるキーコード情報を表示部１７に表示して、使用者にキーコードの入力を要求する。つまり、後の処理で入力情報信号としてサーバ１００に送信される指令情報に含まれる『作動内容』の要求をする（Ｋ６）。
【００５３】
次に、制御部１３は、使用者によるキーコードの入力があったか否かを判定する（Ｋ７）。キーコードの入力がないと判定した場合は（Ｋ７,ＮＯ）、使用者によるキーコードの入力があるまで待機する。一方、使用者によるキーコードの入力があったと判定した場合は（Ｋ７,ＹＥＳ）、次に、予約時間および設定時間の入力を要求する（Ｋ８）。ここで入力される『予約時間』は、『作動内容』とともに指令情報に含まれる。また、『設定時間』は、設定時間情報に含まれる。
【００５４】
次に、制御部１３は、使用者による予約時間および設定時間の入力があったか否かを判定する（Ｋ９）予約時間および設定時間の入力がないと判定した場合は（Ｋ９,ＮＯ）、使用者による予約時間および設定時間の入力があるまで待機する。一方、使用者による予約時間および設定時間の入力があったと判定した場合は（Ｋ９,ＹＥＳ）、入力された指令情報および設定時間情報を入力情報信号として、サーバ１００へ送信する（Ｋ１０）。その後、本ルーチンを終了する。
【００５５】
（携帯電話１０の動作：確認処理ルーチン）
次に、図８は携帯電話１０の確認処理ルーチンを表したフローチャートである。確認処理ルーチンが実行されると、制御部１３は、サーバ１００から作動確認信号を受信したか否かを判定する（Ｋ１１）。サーバ１００から作動確認信号を受信していないと判定した場合は（Ｋ１１,ＮＯ）、次に、サーバ１００から停止確認信号を受信したか否かを判定する（Ｋ１３）。一方、サーバ１００から作動確認信号を受信したと判定した場合は（Ｋ１１,ＹＥＳ）、受信した作動確認信号に含まれる作動確認情報を表示部１７に表示する（Ｋ１２）。
【００５６】
次に、制御部１３は、サーバ１００から停止確認信号を受信したか否かを判定する（Ｋ１３）。サーバ１００から停止確認信号を受信していないと判定した場合は（Ｋ１３,ＮＯ）、本ルーチンを終了する。一方、サーバ１００から停止確認信号を受信したと判定した場合は（Ｋ１３,ＹＥＳ）、受信した停止確認信号に含まれる停止確認情報を表示部１７に表示する（Ｋ１４）。その後、本ルーチンを終了する。
【００５７】
（携帯電話１０の動作：設定時間延長処理ルーチン）
次に、図９は携帯電話１０の設定時間延長処理ルーチンを表したフローチャートである。設定時間延長処理ルーチンが実行されると、制御部１３は、使用者による設定時間延長の操作があったか否かを判定する。つまり、使用者による設定時間延長情報の入力があったか否かを判定する（Ｋ２１）。使用者による設定時間延長の操作がないと判定した場合は（Ｋ２１,ＮＯ）、本ルーチンを終了する。一方、使用者による設定時間延長の操作があったと判定した場合は（Ｋ２１,ＹＥＳ）、入力された設定時間延長情報を設定時間延長情報信号としてサーバ１００へ送信する（Ｋ２２）。その後、本ルーチンを終了する。
【００５８】
（サーバ１００の動作：遠隔操作処理ルーチン）
次に、図１０はサーバ１００の遠隔操作処理ルーチンを表したフローチャートである。遠隔操作処理ルーチンが実行されると、制御部１３０は、携帯電話１０から設定キー情報信号を受信したか否かを判定する（Ｓ１）。携帯電話１０から設定キー情報信号を受信していないと判定した場合は（Ｓ１,ＮＯ）、設定キー情報信号を受信するまで待機する。一方、携帯電話１０から設定キー情報信号を受信したと判定した場合は（Ｓ１,ＹＥＳ）、受信した設定キー情報信号に含まれる設定キー情報を基にして、対象となる電気機器のキーコード情報を抽出する（Ｓ２）。対象となる電気機器のキーコード情報を抽出すると、抽出したキーコード情報をキーコード情報信号として携帯電話１０へ送信する（Ｓ３）。
【００５９】
次に、制御部１３０は、携帯電話１０から入力情報信号を受信したか否かを判定する（Ｓ４）。携帯電話１０から入力情報信号を受信していないと判定した場合は（Ｓ４,ＮＯ）、入力情報信号を受信するまで待機する。一方、携帯電話１０から入力情報信号を受信したと判定した場合は（Ｓ４,ＹＥＳ）、受信した入力情報信号に含まれる入力情報を抽出する（Ｓ５）。
【００６０】
次に、制御部１３０は、抽出した入力情報に含まれる指令情報を基にして、作動光信号を光信号生成部１５０に生成させる（Ｓ６）。次に、制御部１３０は、光信号生成部１５０に生成させた作動光信号を、対象となる電気機器に対して、光信号送受信部１６０から送信させる（Ｓ７）。その後、制御部１３０は、作動確認信号を、携帯電話１０に対して、光信号送受信部１６０から送信させる（Ｓ８）。
【００６１】
次に、制御部１３０は、計時部１７０に経過時間の計時を開始させ（Ｓ９）る。次に、リモコン３０からの操作信号を受信したか否かを判定する（Ｓ１０）。リモコン３０からの操作信号を受信していないと判定した場合は（Ｓ１０,ＮＯ）、携帯電話１０から設定時間延長信号を受信したか否かを判定する（Ｓ１１）。一方、リモコン３０からの操作信号を受信したと判定した場合は（Ｓ１０,ＹＥＳ）、Ｓ６の処理に戻る。
【００６２】
次に、制御部１３０は、Ｓ１１の処理において、設定時間延長信号を受信していないと判定した場合は（Ｓ１１,ＮＯ）、Ｓ９の処理において計時を開始した経過時間が、Ｓ５の処理において抽出した入力情報に含まれる設定時間情報に関連付けられた設定時間を越えたか否かを判定する（Ｓ１２）。一方、制御部１３０は、Ｓ１１の処理において、設定時間延長信号を受信したと判定した場合は（Ｓ１１,ＹＥＳ）、設定時間延長信号に含まれる設定時間情報に基づき、設定時間を延長する（Ｓ１３）。その後、計時部１７０に計時させていた経過時間を一旦リセットし、再び計時を開始して（Ｓ１４）、Ｓ１０の処理に戻る。
【００６３】
一方、制御部１３０は、Ｓ１２の処理において、経過時間が設定時間を越えていないと判定した場合は（Ｓ１２,ＮＯ）、Ｓ１０の処理に戻る。また、経過時間が設定時間を越えたと判定した場合は（Ｓ１２,ＹＥＳ）、光信号生成部１５０に停止光信号を生成させ、対象となる電気機器に対して、光信号送受信部１６０から送信させる（Ｓ１５）。次に、制御部１３０は、停止確認信号を、携帯電話１０に対して、光信号送受信部１６０から送信させる（Ｓ１６）。その後、計時部１７０に計時させていた経過時間を停止させる（Ｓ１７）。その後、本ルーチンを終了する。
【００６４】
上記の携帯電話１０およびサーバ１００の動作によれば、本来リモコン３０によって遠隔操作される電気機器が、携帯電話１０から使用者により入力された指令情報に基づき、遠隔操作される。これにより、電気機器と離れた場所にいる使用者に携帯電話１０を用いて指令情報を入力させるだけで、容易に電気機器を遠隔操作させることが出来る。また、電気機器が一旦作動されてからの経過時間が設定時間を越えた場合であり、且つその所定時間内にリモコン３０を用いて再び電気機器が作動されなかった場合に、電気機器が停止される。これにより、例えば、外出先の使用者から一旦遠隔操作により作動された電気機器において、使用者が外出先からの帰宅が予定より遅くなってしまった場合でも、所定時間の終了後に電気機器が停止されるため、電力を無駄に消費することがなく、電力の節約になる。
【００６５】
また、上記の携帯電話１０およびサーバ１００の動作によれば、使用者が決めた設定時間を携帯電話１０により入力させることができる。また、電気機器が一旦作動されてから計時された経過時間が設定時間を越えた場合であり、且つその設定時間内にリモコン３０を用いて再び電気機器が作動されなかった場合に、電気機器が停止される。これにより、例えば、外出先から帰宅するまでの時間を考慮した所望の設定時間を使用者に決めさせることができ、より厳密に電気機器の動作時間を設定させることができる。
【００６６】
また、上記のサーバ１００および携帯電話１０の動作によれば、使用者により一旦設定時間が携帯電話１０を用いて入力された場合でも、その後再び設定時間が入力されることにより、その時点から電気機器の設定時間の計時が開始される。これにより、例えば使用者が誤って短く設定時間を入力した場合でも、引き続き設定時間を延長させることができ、さらに利便性が良くなる。
【００６７】
また、上記の携帯電話１０およびサーバ１００の動作によれば、電気機器が作動された際、若しくは停止された際、にその旨が使用者に通知される。これにより、電気機器が使用者から離れた場所に位置する場合でも、電気機器の作動および停止状態を使用者に確認させることができ、使用者に安心感を与えられる場合がある。
【００６８】
（本発明の実施の形態の概要）
以上のように、本実施の形態の遠隔操作システム１は、携帯電話１０から使用者により入力された指令情報に基づき、リモコン３０によって遠隔操作される電気機器（エアコン３、電灯４、ビデオ５、・・・）を遠隔操作する遠隔操作システム１であって、携帯電話１０に入力された指令情報を取得する取得手段（アンテナ１１０）と、取得した指令情報に基づき、電気機器を作動する作動手段（制御部１３０、光信号生成部１５０、光信号送受信部１６０）と、作動手段（制御部１３０、光信号生成部１５０、光信号送受信部１６０）により制御対象機器を作動してからの経過時間を計時する計時手段（計時部１７０）と、計時手段（計時部１７０）により計時した経過時間が所定時間を越えたと判定し、且つリモコン３０によって電気機器が所定時間内に再び作動されなかったと判定した場合に、当該電気機器を停止する停止手段（制御部１３０、光信号生成部１５０、光信号送受信部１６０）と、を備えている。
【００６９】
上記の構成によれば、本来リモコン３０によって遠隔操作される電機機器が、携帯電話１０から使用者により入力された指令情報に基づき、遠隔操作される。これにより、電気機器と離れた場所にいる使用者に携帯電話１０を用いて指令情報を入力させるだけで、容易に電気機器を遠隔操作させることが出来る。また、電気機器が一旦作動されてからの経過時間が所定時間を越えた場合であり、且つその所定時間内にリモコン３０を用いて再び電気機器が作動されなかった場合に、電気機器が停止される。これにより、例えば、外出先の使用者から一旦遠隔操作により作動された電気機器において、使用者が外出先からの帰宅が予定より遅くなってしまった場合でも、所定時間の終了後に電気機器が停止されるため、電力を無駄に消費することがなく、電力の節約になる。
【００７０】
また、本発明に係る遠隔操作システム１において、携帯電話１０は、使用者が決めた設定時間を入力可能とし、取得手段（アンテナ１１０）は、携帯電話１０に使用者により入力された設定時間に関する設定時間情報を取得し、停止手段（制御部１３０、光信号生成部１５０、光信号送受信部１６０）は、取得した設定時間情報に基づき、所定時間を設定時間としていてもよい。
【００７１】
上記の構成によれば、使用者が決めた設定時間を携帯電話１０により入力させることができる。また、電気機器が一旦作動されてから計時された経過時間が設定時間を越えた場合であり、且つその設定時間内にリモコン３０を用いて再び電気機器が作動されなかった場合に、電気機器が停止される。これにより、例えば、外出先から帰宅するまでの時間を考慮した所望の設定時間を使用者に決めさせることができ、より厳密に電気機器の動作時間を設定させることができる。
【００７２】
また、本発明に係る遠隔操作システム１において、計時手段（計時部１７０）は、作動手段（制御部１３０、光信号生成部１５０、光信号送受信部１６０）により電気機器を作動してからの経過時間の計時を開始した後、再び携帯電話１０から設定時間情報を取得した場合に、当該設定時間情報に基づき、当該設定時間情報を取得した時点からの経過時間の計時を開始していてもよい。
【００７３】
上記の構成によれば、使用者により一旦設定時間が携帯電話１０を用いて入力された場合でも、その後再び設定時間が入力されることにより、その時点から電気機器の設定時間の計時が開始される。これにより、例えば使用者が誤って短く設定時間を入力した場合でも、引き続き設定時間を延長させることができ、さらに利便性が良くなる。
【００７４】
また、本発明に係る遠隔操作システム１において、作動手段（制御部１３０、光信号生成部１５０、光信号送受信部１６０）により電気機器を作動した際、若しくは停止手段（制御部１３０、光信号生成部１５０、光信号送受信部１６０）により電気機器を停止した際、に携帯電話１０へその旨を通知する通知手段（制御部１３０、光信号送受信部１６０）を備えていてもよい。
【００７５】
上記の構成によれば、電気機器が作動された際、若しくは停止された際、にその旨が使用者に通知される。これにより、電気機器が使用者から離れた場所に位置する場合でも、電気機器の作動および停止状態を使用者に確認させることができ、使用者に安心感を与えられる場合がある。
【００７６】
（本実施形態の変形例）
以上、本発明を好適な実施の形態に基づいて説明したが、本発明はこれに限定されるものではなく、遠隔操作システム１は、以下の構成を上述の実施の形態における構成に加えて、或いは重複、置き換えて備えていてもよい。
【００７７】
例えば、本実施の形態において、リモコン３０による電気機器の操作は、サーバ１００に対して光信号を受信させ、サーバ１００から作動光信号を電気機器に送信することにより、電気機器を作動させている（図１０のＳ１０、Ｓ６、Ｓ７、Ｓ８の処理）。ここで、本発明においては、これに拘ることもない。例えば図１１は、本実施の形態の変形例を示す図である。図１１に示すように、各種電気機器（エアコン３、電灯４、ビデオ５、・・・）とサーバ１００とが光ファイバーケーブルなどの有線３００（受信部３００ａ、送信部３００ｂ、および配線部３００ｃにより構成）で接続されていてもよい。
【００７８】
この場合、図１１に示すように、携帯電話１０を用いてエアコン３を遠隔操作する場合は、ネットワーク２を介して携帯電話１０からの信号を受信したサーバ１００が、有線３００を用いて作動光信号を各種電気機器に送信して、電気機器を作動させている（上図参照）。その後、使用者により決められた設定時間内に、電気機器がリモコン３０により直接作動された場合は、そのリモコンからの光信号を受信部３００ａが検知し、サーバ１００に配線部３００ｃを介して伝達される。これにより、使用者が、直接リモコン３０を電気機器に向けて光信号を送信することで、電気機器を遠隔操作することができ、且つそのリモコン操作があったことをサーバ１００が検知できるようになる。そのため、有線３００を用いることにより、サーバ１００から電気機器へ出力される作動光信号の指向性を考慮する必要がなく、サーバ１００および電気機器の配置に注意を払う必要がない。
【００７９】
また、本実施の形態において、本発明の遠隔操作システム１における、取得手段、作動手段、計時手段、停止手段、および通知手段は、サーバ１００が備えているが、この形態に拘ることもなく、各種電気機器が各々備えていてもよい。この場合、より遠隔操作システム１の構成を単純化することができる。
【００８０】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【００８１】
【図１】本実施の形態における遠隔操作システムの動作概要を示した図である
【図２】遠隔操作システムの構成図である。
【図３】携帯電話の構成図である。
【図４】サーバの構成図である。
【図５】サーバが有する設定コードテーブルを示した図である。
【図６】サーバが有するキーコードテーブルを示した図である。
【図７】携帯電話のリモコン操作処理ルーチンを表したフローチャートである。
【図８】携帯電話の確認処理ルーチンを表したフローチャートである。
【図９】携帯電話の設定時間延長処理ルーチンを表したフローチャートである。
【図１０】サーバの遠隔操作処理ルーチンを表したフローチャートである。
【図１１】本実施の形態の変形例を示す図である。
【符号の説明】
【００８２】
１  遠隔操作システム
２  ネットワーク
３  エアコン
１０  携帯電話
３０  リモコン
５０  棚
１００  サーバ
２００  室内
【図１】
2010028377.tif 000003
【図２】
2010028377.tif 000004
【図３】
2010028377.tif 000005
【図４】
2010028377.tif 000006
【図５】
2010028377.tif 000007
【図６】
2010028377.tif 000008
【図７】
2010028377.tif 000009
【図８】
2010028377.tif 000010
【図９】
2010028377.tif 000011
【図１０】
2010028377.tif 000012
【図１１】
2010028377.tif 000013